(57)【特許請求の範囲】
【請求項１】
所定の間隙を空けて設置された複数個の中空プレート状熱交換素子と、該中空プレート状熱交換素子の上部に連通し、該中空プレート熱交換素子内に加熱蒸気を送給するヘッダと、前記中空プレート状熱交換素子の下部に連通し、凝結水および蒸気を排出するヘッダを設けたプレート式エバポレータにおける中空プレート熱交換素子内壁洗浄方法において、前記中空プレート状熱交換素子の上部に連通するヘッダ内に洗浄液供給装置を設置し、前記プレート式エバポレータの運転中、前記洗浄液供給装置から前記中空プレート状熱交換素子内へ加熱蒸気と一緒に洗浄液を散布し、該中空プレート状熱交換素子の内壁を洗浄することを特徴とするプレート式エバポレータにおける中空プレート熱交換素子内壁洗浄方法。
【請求項２】
所定の間隙を空けて設置された複数個の中空プレート状熱交換素子と、該中空プレート状熱交換素子の上方に位置に設けられ、被濃縮液を前記中空プレート状熱交換素子に散布するディストリビュータと、該中空プレート状熱交換素子の下部に連通し、該中空プレート熱交換素子内に加熱蒸気を送給するともに凝結水を排出するヘッダと、前記中空プレート状熱交換素子の上部に連通し、蒸気を排出するヘッダとを設けた向流型熱交換形式のプレート式エバポレータにおける中空プレート熱交換素子内壁洗浄方法において、前記中空プレート状熱交換素子の下部に連通するヘッダ内および前記中空プレート状熱交換素子の上部に連通するヘッダ内にそれぞれ洗浄液供給装置を設置し、前記プレート式エバポレータの運転中、前記中空プレート状熱交換素子の下部に連通するヘッダ内の洗浄液供給装置から前記中空プレート状熱交換素子内へ加熱蒸気と一緒に洗浄液を散布するとともに、前記中空プレート状熱交換素子の上部に連通するヘッダ内の洗浄液供給装置からも洗浄液を前記中空プレート状熱交換素子内へ散布し、該中空プレート状熱交換素子の内壁を洗浄することを特徴とするプレート式エバポレータにおける中空プレート熱交換素子内壁洗浄方法。
【発明の詳細な説明】
【０００１】
【発明の属する技術分野】
本発明はプレート式エバポレータにおける中空プレート状熱交換素子の内壁洗浄方法に関する。
【０００２】
【従来の技術】
図３はプレート式エバポレータの概略説明図で、缶本体の一部を破断した斜視図である。
図３に示すプレート式エバポレータは従来から公知の構造のもので、缶本体１内に複数個の中空プレート状熱交換素子２、２・・が所定の間隔を空けて設置されており、これらの中空プレート状熱交換素子２、２、・・の上部は加熱蒸気入口３とヘッダ４を介して連通されており、また、該熱交換素子２、２、・・の下部はヘッダ５を介して凝結水排出管６および蒸気排出管７に連通されている。
【０００３】
中空プレート状熱交換素子２、２・・の上方位置にはディストリビュータ８が設置されており、ディストリビュータ８と缶本体１の底部とは循環ポンプ９、循環パイプ１０ａ、１０ｂで被濃縮液循環経路が形成されている。１１は循環パイプ１０ｂの前記ポンプ入口側に接続された液供給管、１２は循環パイプ１０ｂの缶本体底部側に接続された濃縮液取出し管である。１３はミストセパレータであって、缶本体１内のディストリビュータ８の上方位置に設置されている。１４は蒸発蒸気出口である。
【０００４】
プレート式エバポレータは上記構造からなっており、パルプ黒液等被濃縮液は液供給管１１から循環パイプ１０ｂ、循環ポンポンプ９、循環パイプ１０ａを経由してディストリビュータ８の液分散箱８ａ内に注入され、該分散箱８ａに設けた多孔板底面の孔から中空プレート状熱交換素子２、２・・にシャワー状に降り注がれ該熱交換素子２、２、・・の外表面を流下させる。
【０００５】
中空プレート状熱交換素子２、２・・には加熱蒸気入口３からヘッダ４を介して加熱蒸気が供給されており、前記熱交換素子２、２・・の表面を流下している被濃縮液が加熱され蒸発蒸気（ミスト）は、これら熱交換素子の両側方から上昇し、ミストセパレータ１３で凝縮されて、該ミスト中に含有している有機ないしは無機質がミストと一緒に蒸発蒸気出口１４から放出しないように缶本体内で回収されるとともに前記流下液は濃縮される。
そして、缶本体１の底部に溜まった液は循環パイプ１０ｂ、循環ポンプ９循環パイプ１０ａをリサイクルされて徐々に濃縮される。所定濃度に濃縮された液は取出し管１２から次工程へと送給される。
【０００６】
上記エバポレータを長時間運転すると、中空プレート状熱交換素子２、２・・の内壁面にスケールが付着し伝熱効率を低下させるので従来はスケールが付着すると、適宜エバポレータの運転を停止させ中空プレート状熱交換素子２、２・・内に洗浄液を充満させるか或いは洗浄液を散布させるかしてこれら熱交換素子２、２・・の内壁面に付着しているスケールを除去していた。
したがって、従来はエバポレータの運転を停止して行なっているため、エバポレータの運転効率が低下するという問題点があった。
【０００７】
【発明が解決しようとする課題】
本発明は、エバポレータの運転を停止することなく中空プレート状熱交換素子の内壁面に付着しているスケールを効率よく洗浄除去する方法を提供することを目的とするものである。
【０００８】
【課題を解決するための手段】
請求項１の本発明は、所定の間隙を空けて設置された複数個の中空プレート状熱交換素子と、該中空プレート状熱交換素子の上部に連通し、該中空プレート熱交換素子内に加熱蒸気を送給するヘッダと、前記中空プレート状熱交換素子の下部に連通し、凝結水および蒸気を排出するヘッダを設けたプレート式エバポレータにおける中空プレート熱交換素子内壁洗浄方法において、前記中空プレート状熱交換素子の上部に連通するヘッダ内に洗浄液供給装置を設置し、前記プレート式エバポレータの運転中、前記洗浄液供給装置から前記中空プレート状熱交換素子内へ加熱蒸気と一緒に洗浄液を散布し、該中空プレート状熱交換素子の内壁を洗浄するようにしたものである。
また、請求項２の本発明は、所定の間隙を空けて設置された複数個の中空プレート状熱交換素子と、該中空プレート状熱交換素子の上方に位置に設けられ、被濃縮液を前記中空プレート状熱交換素子に散布するディストリビュータと、該中空プレート状熱交換素子の下部に連通し、該中空プレート熱交換素子内に加熱蒸気を送給するともに凝結水を排出するヘッダと、前記中空プレート状熱交換素子の上部に連通し、蒸気を排出するヘッダとを設けた向流型熱交換形式のプレート式エバポレータにおける中空プレート熱交換素子内壁洗浄方法において、前記中空プレート状熱交換素子の下部に連通するヘッダ内および前記中空プレート状熱交換素子の上部に連通するヘッダ内にそれぞれ洗浄液供給装置を設置し、前記プレート式エバポレータの運転中、前記中空プレート状熱交換素子の下部に連通するヘッダ内の洗浄液供給装置から前記中空プレート状熱交換素子内へ加熱蒸気と一緒に洗浄液を散布するとともに、前記中空プレート状熱交換素子の上部に連通するヘッダ内の洗浄液供給装置からも洗浄液を前記中空プレート状熱交換素子内へ散布し、該中空プレート状熱交換素子の内壁を洗浄するようにしたものである。
【０００９】
【発明の実施の形態】
図１は本発明にかかるプレート式エバポレータにおける中空プレート状熱交換素子の内壁洗浄方法の実施形態の説明図で要部のみを示している。
本発明は、熱交換素子２、２・・内に加熱蒸気を送給するヘッダ４に洗浄液供給装置１５を設置し、エバポレータの運転中前記洗浄液供給装置１５から熱交換素子２、２・・内へ加熱蒸気と一緒に洗浄液を散布し、該中空プレート状熱交換素子２、２・・の内壁を洗浄することである。
【００１０】
洗浄液としては、スケールの成分が例えばＣａ化合物の場合は酸性液が使用されるが、スケールの成分によって酸性または塩基性の溶液が選択される。
前記洗浄液は熱交換素子の下部ヘッダ５を経由して凝結水と一緒に排出管６から排出されるが、この廃液に洗浄力が残存しておれば再利用することは任意である。
【００１１】
図２は本発明にかかる中空プレート状熱交換素子の内壁洗浄方法の他の実施形態の説明図である。この例では熱交換素子２、２・・の下方に加熱蒸気送給ヘッダ４が設けられた向流型熱交換形式のプレート式エバポレータで、この形式では洗浄液供給装置１５を加熱蒸気送給ヘッダ４に設置する他に、熱交換素子２、２・・の上方に設けた蒸気排出ヘッダ４’に洗浄液供給装置１５’を設置したことである。
なお、この例においても凝結水排出管６から排出された廃液を新しい洗浄液に混入して再利用することは任意である。
【００１２】
本発明によればエバポレータの運転中加熱蒸気と一緒に洗浄液を加熱素子内に注入するので洗浄液が加熱素子内壁に均一に分散され、高温であるため洗浄効果が向上される。
【００１３】
本発明では、エバポレータの運転中加熱蒸気と一緒に洗浄液を中空プレート状熱交換素子内に注入するので洗浄液が中空プレート状熱交換素子内壁に均一に分散されるとともに、高温で処理するため洗浄効果が向上される。さらに、運転を停止することなく中空プレート状熱交換素子の内壁を洗浄できるので運転効率を向上できるという一石二鳥の効果が期待できる。
【図面の簡単な説明】
【図１】本発明にかかるプレート式エバポレータにおける中空プレート状熱交換素子の内壁洗浄方法の実施形態の説明図。
【図２】本発明方法の他の実施形態の説明図。
【図３】従来から公知のプレート式エバポレータの説明図で一部切欠斜視図。
【符号の説明】
１        エバポレータ缶本体          ９        循環ポンプ
２        中空プレート状熱交換素子  １０ａ      循環パイプ
３        加熱蒸気入口              １０ｂ      循環パイプ
４、４’  ヘッダ                    １１        液供給管
５        ヘッダ                    １２        濃縮液取出し管
６        凝結水排水管              １３        ミストセパレータ
７        蒸気排出管                １４        蒸発蒸気出口
８        ディストリビュータ        １５        洗浄液供給装置
８ａ      液分散箱                  １５’      洗浄液供給装置
【図１】
0003818844.tif 000002
【図２】
0003818844.tif 000003
【図３】
0003818844.tif 000004